(57)【特許請求の範囲】
【請求項１】
筐体の前側に、前面パネルに矩形状のリール表示窓を設けた前扉が開閉可能に取り付けられており、上記筐体内には、外周面にそれぞれ複数の図柄が施された横並び３つの図柄列リールを有するリール装置が前扉のリール表示窓を通して各図柄列リールの一部の図柄が前方に見える状態で配置されてなるスロットマシンにおいて、
上記前扉の前面パネルとリール装置との間には所定の遊技情報を報知するための報知装置が配置されており、この報知装置は、上記リール表示窓の内側をその内面に沿って上下方向又は左右方向に延びる棒状の可動部材と、この可動部材をリール表示窓の内面に沿って可動部材の長手方向と直交する方向に移動させる駆動手段と、この駆動手段を制御するサブ制御基板とからなり、
上記可動部材は、少なくともリール表示窓を通して見える側にアレイ状に配列してなる複数の発光素子を有し、この各発光素子の発光は、いずれも上記サブ制御基板により制御されるようになっており、
上記駆動手段は、リール表示窓の左右両端近傍又は上下両端近傍でそれぞれ前面パネルの内面に沿って上記可動部材と同一方向に延びかつ軸受を介して回転自在に支持された２つのシャフトと、リール表示窓の上下両端近傍又は左右両端近傍でこの両シャフト間にスプロケットを介して巻き掛けられた一対のベルトと、上記一方のシャフトを回転駆動するモータとを備え、上記一対のベルトには上記可動部材の両端が固定されており、上記モータの作動は、上記サブ制御基板により制御されるようになっており、
このサブ制御基板は、スロット遊技を制御する主制御基板に信号授受可能に接続され、この主制御基板の制御の下に、所定の遊技状況のとき、モータを作動させて可動部材をリール表示窓の一方の端から反対側の端に向かって移動させるとともに、この可動部材の移動している位置に対応して可動部材上の所定の発光素子を発光させ、この発光の残像からリール表示窓に所定の画像を描いて所定の遊技情報を報知するように構成されていることを特徴とするスロットマシン。
【請求項２】
上記サブ制御基板は、リール装置の３つの図柄列リールの回転が停止したときにリール表示窓の有効化されたライン上に入賞図柄が揃ったとき、そのライン上に沿った残像的な直線状の光のラインを描いて入賞ラインを表示し、また入賞図柄が揃わない外れでも内部抽選でボーナス当選しているときにはリール表示窓の略全面に広がる大きさの残像的な楕円状の光のラインを描いてフラグ告知を行うようになっている請求項１記載のスロットマシン。
【請求項３】
上記各発光素子は、多色に発光可能なものである請求項１又は２記載のスロットマシン。
【発明の詳細な説明】
【０００１】
【発明の属する技術分野】
本発明は、遊技機としてのスロットマシンに関し、特に遊技情報の報知に係わる。
【０００２】
【従来の技術】
一般に、スロットマシンは、筐体の前面にスタートスイッチ、３つの停止スイッチ及びリール表示窓などが設けられているとともに、筐体内に各々外周面に複数の図柄を描いてなる３つの図柄列リールが上記リール表示窓を通して３図柄ずつ見えるように横一列に配置されており、１回のゲーム毎に遊技者がスタートスイッチを操作すると各図柄列リールが回転し、３つの停止スイッチを操作して全ての図柄列リールが停止したとき所定の図柄の組み合わせがリール表示窓上に揃ったかどうかで入賞が決定される。
【０００３】
近年のコンピュータ制御のスロットマシンでは、この入賞図柄が平均して出現するようにするために、スタートスイッチの操作により各図柄列リールの回転を始動させると同時に、内部抽選を行い、この抽選に当選した場合遊技者によって操作される停止スイッチの操作タイミングが多少ずれていたとしてもそれが許容範囲内であるときには、入賞図柄が揃うように図柄列リールの回転停止を制御するいわゆる引き込み制御が行われている。特に、内部抽選がビッグボーナスなどの当選時にはボーナスフラグを立て、遊技者がボーナス図柄をリール表示窓上に揃えるまで各ゲームで引き込み制御を繰り返すようになっている。
【０００４】
そして、この種のスロットマシンにおいては、内部抽選の当選などを遊技者に告知したり、ボーナスゲームなどの入賞時の演出をしたりするときには、筐体前面のリール表示窓の周辺に設けたランプや液晶表示器などを用いるのが普通である。
【０００５】
【発明が解決しようとする課題】
ところが、上記従来のランプや液晶表示器などを用いた告知や演出の方法では、遊技者はリール表示窓から目線を逸らし易くなるため、図柄列リールの目押しへの集中が途切れたり、疲れ易くなったりするという問題があった。
【０００６】
そこで、この問題を解決するために、図柄列リールの内部にバックライトを設けたものが提案され、実用化されている。しかし、このバックライトによる告知や演出では、その点灯パターンが限られていることから、遊技演出の効果を高めるために、バックライトに代わる、あるいはバックライトと併用可能な他の方法が要求されている。
【０００７】
また、スロットマシンに限らず、パチンコ機などにおいても、遊技演出の効果を高めるための新たな方法の提案が要求されている。すなわち、例えばパチンコ機においては、遊技盤がガラス扉を通して前方つまり遊技者側に見えるようになっているとともに、遊技盤に遊技演出のための種々のランプが設けられているが、このランプ以外のもので遊技演出の効果を有効に高めたいという要求である。
【０００８】
本発明はかかる諸点に鑑みてなされたものであり、その課題とするところは、遊技機のうち、特に、リール表示窓を通して図柄列リールの一部が見えるスロットマシンにおいて、遊技者がリール表示窓から目線を逸らすことなく遊技情報を認識できるようにし、もって遊技情報の報知ないし遊技演出の効果を有効に高め得るようにするものである。
【０００９】
【課題を解決するための手段】
上記の課題を解決するため、請求項１に係る発明は、スロットマシンとして、筐体の前側に、前面パネルに矩形状のリール表示窓を設けた前扉が開閉可能に取り付けられており、上記筐体内には、外周面にそれぞれ複数の図柄が施された横並び３つの図柄列リールを有するリール装置が前扉のリール表示窓を通して各図柄列リールの一部の図柄が前方に見える状態で配置されてなることを前提とする。そして、上記前扉の前面パネルとリール装置との間に、所定の遊技情報を報知するための報知装置を配置し、この報知装置を、上記リール表示窓の内側をその内面に沿って上下方向又は左右方向に延びる棒状の可動部材と、この可動部材をリール表示窓の内面に沿って可動部材の長手方向と直交する方向に移動させる駆動手段と、この駆動手段を制御するサブ制御基板とによって構成する。また、上記可動部材を、少なくともリール表示窓を通して見える側にアレイ状に配列してなる複数の発光素子を有する構成にし、この各発光素子の発光を、いずれも上記サブ制御基板により制御する。上記駆動手段を、リール表示窓の左右両端近傍又は上下両端近傍でそれぞれ前面パネルの内面に沿って上記可動部材と同一方向に延びかつ軸受を介して回転自在に支持された２つのシャフトと、リール表示窓の上下両端近傍又は左右両端近傍でこの両シャフト間にスプロケットを介して巻き掛けられた一対のベルトと、上記一方のシャフトを回転駆動するモータとを備える構成にし、上記一対のベルトに上記可動部材の両端を固定し、上記モータの作動を、上記サブ制御基板により制御する。さらに、このサブ制御基板を、スロット遊技を制御する主制御基板に信号授受可能に接続し、この主制御基板の制御の下に、所定の遊技状況のとき、モータを作動させて可動部材をリール表示窓の一方の端から反対側の端に向かって移動させるとともに、この可動部材の移動している位置に対応して可動部材上の所定の発光素子を発光させ、この発光の残像からリール表示窓に所定の画像を描いて所定の遊技情報を報知するように構成する。
【００１０】
この構成では、所定の遊技状況のとき、前扉のリール表示窓の内側を、報知装置の可動部材がリール表示窓の一方の端から反対側の端に向かって移動するとともに、この可動部材の移動している位置に対応して可動部材上の所定の発光素子が発光し、この発光の残像から所定の画像をリール表示窓に描いて所定の遊技情報が報知されるため、遊技者はリール表示窓を通して遊技をしながらその目線を逸らすことなく所定の遊技情報を認識できることになる。しかも、可動部材は、リール表示窓の一方向に延びて配置された状態のままこれと直交する方向に移動するものであり、また、この可動部材上に複数の発光素子がアレイ状に配列されているため、リール表示窓全体に広がった画像でもって遊技情報の報知を確実に行うことができる。
【００１１】
請求項２に係る発明は、請求項１記載のスロットマシンにおいて、上記遊技情報の報知の具体例を提供するものである。すなわち、上記サブ制御基板は、リール装置の３つの図柄列リールの回転が停止したときにリール表示窓の有効化されたライン上に入賞図柄が揃ったとき、そのライン上に沿った残像的な直線状の光のラインを描いて入賞ラインを表示し、また入賞図柄が揃わない外れでも内部抽選でボーナス当選しているときにはリール表示窓の略全面に広がる大きさの残像的な楕円状の光のラインを描いてフラグ告知を行う構成にする。
【００１２】
【００１３】
【００１４】
【００１５】
請求項３に係る発明は、請求項１又は２記載のスロットマシンにおいて、上記各発光素子を、多色に発光可能なものによって構成する。この構成では、可動部材上の各発光素子が多色に発光することにより、多種類の遊技情報を報知することができるとともに、報知に際し彩を持たせて遊技演出の効果をより高めることができる。
【００１６】
【００１７】
【００１８】
【００１９】
【００２０】
【発明の実施の形態】
以下、本発明の実施の形態を図面に基づいて説明する。
（第１の実施形態）
図１は本発明の第１の実施形態に係る遊技機としてのスロットマシンＡの外観を示す。このスロットマシンＡの前面を構成する前扉１は、リール装置２０（図２参照）やメダル払い出し装置などの装置類を収納する筐体（図示せず）の前側に開閉可能に取り付けられている。
【００２１】
上記前扉１の上部には３つの上部ランプ２ａ，２ｂ，２ｃ及び左右一対のスピーカ３Ｌ，３Ｒなどが設けられているとともに、前扉１の中央部には前面パネルとしての中央パネル４及び中央操作部５が設けられている。中央パネル４は、アクリル板のような透明な合成樹脂板や強化ガラス板などの表面にシルクスクリーン印刷を施してなり、この中央パネル４には、シルクスクリーン印刷を施さず透明なままの部分である矩形状のリール表示窓６が形成されているとともに、このリール表示窓６の左側に５つの有効化表示ランプ７ａ，７ｂ，７ｃ，７ｄ，７ｅが、リール表示窓６の下側に貯留枚数表示器８、役物当選回数表示器９及びヒット枚数表示器１０がそれぞれ設けられている。
【００２２】
上記中央操作部５上にはメダル投入口１１、スタートスイッチ１２、３つの停止スイッチ１３ａ，１３ｂ，１３ｃ、ベットスイッチ１４及び精算スイッチ１５などが設けられている。この中央操作部５より下側の前扉１の下部には装飾パネルとしての下部パネル１６、メダル払い出し口１７及びメダル受け皿１８が設けられている。
【００２３】
また、図２に示すように、筐体内には上記リール表示窓６に対向してリール装置２０が配置されている。このリール装置２０は、各々ステップモータ２１により独立して回転駆動される３つの図柄列リール２２ａ，２２ｂ，２２ｃを備え、各図柄列リール２２ａ〜２２ｃの外周面にはそれぞれ複数の図柄（図示せず）が円周方向に所定間隔毎に一列に描かれており、リール停止時には図柄列リール２２ａ〜２２ｃ毎に３つずつの図柄がリール表示窓６を通して前方つまり遊技者側に見えるようになっている。
【００２４】
上記５つの有効化表示ランプ７ａ〜７ｅはメダル投入口１１に投入されたメダルの枚数に応じて点灯するものであり、投入メダルが１枚のときには中央の１つの有効化表示ランプ７ｃのみが点灯しかつその表示ランプ７ｃから横に延びる入賞ラインＬ１が有効化される。投入メダルが２枚のときには中央寄りの３つの有効化表示ランプ７ｂ，７ｃ，７ｄが点灯しかつこれらの表示ランプ７ｂ〜７ｄから横に延びる３本の入賞ラインＬ１，Ｌ２，Ｌ３が有効化され、投入メダルが３枚のときには５つの有効化表示ランプ７ａ〜７ｅ全てが点灯しかつ横に延びる３本の入賞ラインＬ１〜Ｌ３と斜めに延びる２本の入賞ラインＬ４，Ｌ５とが有効化される。
【００２５】
上記スタートスイッチ１２は３つの図柄列リール２２ａ〜２２ｃを一斉に又は順次に回転始動させるものであり、上記各停止スイッチ１３ａ〜１３ｃはそれぞれ対応する図柄列リール２２ａ〜２２ｃの回転を個別に停止させるものである。そして、上述の如くメダルの投入枚数に応じて有効化された入賞ラインＬ１〜Ｌ５上に所定の図柄の組み合わせが揃うとその組み合わせに応じた獲得枚数がヒット枚数表示器１０に表示され、その枚数のメダルがメダル払い出し口１７からメダル受け皿１８に払い出されるようになっている。
【００２６】
また、スロットマシンＡは、複数枚のメダルを予めメダル投入口１１から投入して預けておき、この預けメダルを消費しつつゲームを行うことができるいわゆるクレジット形式のものであり、貯留枚数表示器８は預けメダルの枚数を表示する。そして、スタートスイッチ１２の操作に先立ってベットスイッチ１４を１回押すと３枚のメダルが、２回押すと２枚のメダルが、３回押すと１枚のメダルがそれぞれ投入された場合と同様に入賞ラインＬ１〜Ｌ５が有効化される。精算スイッチ１５は、預けメダルを精算してメダル払い出し口１７からメダル受け皿１８に払い出すためのものである。
【００２７】
そして、本発明の特徴点として、図２及び図３に詳示するように、中央パネル４とリール装置２０との間には、詳しくは後述する所定の遊技情報を報知するための報知装置３０が配置されている。この報知装置３０は、中央パネル４のリール表示窓６の内側をその内面に沿って上下方向に延びる棒状の可動部材３１と、この可動部材３１をリール表示窓６の内面に沿って左右方向（つまり可動部材３１の長手方向と直交する方向）に移動させる駆動手段３２と、この駆動手段３２を制御する報知用サブ制御基板３３とからなる。
【００２８】
上記可動部材３１は、少なくともその表面側つまりリール表示窓６を通して見える側に発光領域３６を有しており、この発光領域３６は、図４に示すように、複数の発光部ないし発光素子としての赤色などの単色の発光ダイオード３７，３７，…を一列にアレイ状に並べて構成されている。各発光ダイオード３７は、いずれも通電による点灯が上記報知用サブ制御基板３３により制御されるようになっている。
【００２９】
上記駆動手段３２は、リール表示窓６の左右両端近傍でそれぞれ中央パネル４の内面に沿って上下方向に延びかつ軸受４１，４１を介して回転自在に支持された左右２つのシャフト４２ａ，４２ｂと、リール表示窓６の上下両端近傍でこの両シャフト４２ａ，４２ｂ間にそれぞれスプロケット（図示せず）を介して巻き掛けられた上下一対のベルト４３，４３と、上記一方のシャフト４２ｂをベルト４４などを介して回転駆動する減速機付きサーボモータ４５とを備えている。上下一対のベルト４３，４３にはそれぞれ上記可動部材３１の上端部又は下端部が固定されており、サーボモータ４５の正逆回転により可動部材３１がリール表示窓６の内側を左端から右端に、又は右端から左端に向って移動するようになっている。サーボモータ４５の作動は上記報知用サブ制御基板３３により制御される。
【００３０】
図５はスロットマシンＡの制御系のブロック構成を示す。この図において、５０はスロット主制御基板であって、このスロット主制御基板５０は、制御主体であるＣＰＵ５１と、データの読み書きなどに用いられるＲＡＭ５２と、プログラム及び固定データなどを格納するＲＯＭ５３と、内部抽選に用いられる乱数発生器５４と、ステップモータ制御部５５とを備えている。
【００３１】
上記ステップモータ制御部５５は、ＣＰＵ５１からの回転制御信号に基づいて、リール装置２０の３つのステップモータ２１，２１（図５では２つのみ図示）の作動を個別に制御するようになっている。リール装置２０の各図柄列リール２２ａ〜２２ｃの初期位置は、それぞれリール初期位置検出器５６により検出され、その検出信号は、ＣＰＵ５１に入力されてステップモータ２１の作動制御に供される。
【００３２】
上記ＣＰＵ５１は、上述したスタートスイッチ１２、３つの停止スイッチ１３ａ〜１３ｃ（図５では２つのみ図示）、ベットスイッチ１４及び精算スイッチ１５の他、メダル投入口１１へのメダルの投入を検知するメダルセンサ５７などからの信号を受ける一方、貯留枚数表示器８、表示用サブ制御基板５８、音声用サブ制御基板５９、メダル払い出し装置６０及び報知用サブ制御基板３３などに対しそれぞれ制御信号を出力するようになっている。表示用サブ制御基板５８は、役物当選回数表示器９やヒット枚数表示器１０などの表示装置を制御するものであり、音声用サブ制御基板５９は、スピーカ３Ｌ，３Ｒ，６１を制御するものである。尚、スピーカ６１は筐体の背面に設けられる低音域用のものである。
【００３３】
図６及び図７は上記スロット主制御基板５０（詳しくはＣＰＵ５１）による遊技の制御内容を示すフローチャートであり、以下、このフローチャートに従って制御内容について説明する。
【００３４】
図６において、スタートした後、先ず、ステップＳ１で遊技開始の操作であるメダル投入又はクレジット操作があるのを待つ。メダル投入はメダルセンサ５７からの検知信号により、クレジット操作はベットスイッチ１４の信号によりそれぞれ判断する。
【００３５】
続いて、ステップＳ２でスタートスイッチ１２が操作されるのを待った後、ステップＳ３でボーナス当選フラグがＯＮつまり立っているか否かを判定する。遊技開始当初は通常、ボーナス当選フラグは立っていないので、この判定はＮＯでステップＳ４へ移行し、抽選を行う。この抽選では、乱数発生器５４を用いてビッグボーナス、レギュラーボーナス、小役などの内部抽選の当否を確定する。この抽選の後、ステップＳ５でビッグボーナス又はレギュラーボーナスの当選か否かを判定し、その判定がＹＥＳのときには、ステップＳ６でボーナス当選フラグをＯＮにした後、図７のステップＳ１１へ移行する一方、判定がＮＯのときには直ちに図７のステップＳ１１へ移行する。
【００３６】
ボーナス当選フラグがＯＮになった後遊技者がボーナス図柄をリール表示窓６の有効化された入賞ラインＬ１〜Ｌ５上に揃えることができず、遊技を続行したときには、ステップＳ３の判定はＹＥＳとなり、ステップＳ７で抽選を行う。この抽選では、ステップＳ４での抽選と同じく乱数抽選器５４を用いて小役などの内部抽選の当否の確定を行うが、ビックボーナス及びレギュラーボーナスの抽選は行わない。
【００３７】
図７のステップＳ１１では３つの図柄列リール２２ａ〜２２ｃを回転させ、一定速度に達した後、ステップＳ１２で遊技者により停止スイッチ１３ａ〜１３ｃの操作が行われ、３つの図柄列リール２２ａ〜２２ｃの全てが停止するのを待ち、ステップＳ１３で入賞図柄が揃ったか否かを判定し、入賞図柄が揃ったときにはステップＳ１４で更にボーナス入賞か否かを判定する。ボーナス入賞のときには、ステップＳ１５でボーナス入賞処理を行うとともに、ボーナス当選フラグをＯＦＦにし、ステップＳ１７へ移行する。また、ボーナス入賞以外の入賞図柄が揃ったとき、つまり小役入賞又はリプレイのときには、ステップＳ１８で小役入賞又はリプレイの処理を行い、ステップＳ１７へ移行する。
【００３８】
ステップＳ１７では遊技演出として入賞ライン表示を行う。この入賞ライン表示は、例えば右上がり斜めの入賞ラインＬ４に入賞図柄が揃った場合図８に示すように、可動部材３１を前方より見てリール表示窓６の左端から右端に向って所定の速度（リール表示窓６での可動部材３１の移動時間は０．５〜３秒程度）で移動させるとともに、可動部材３１の発光領域３６において下側の発光ダイオード３７から上側の発光ダイオード３７に１つずつ順番に瞬間的に点灯することにより、入賞ラインＬ４に沿った残像的な直線状の光のラインＫ１を描く。入賞ライン表示の後はリターンする。
【００３９】
一方、入賞図柄が揃わず外れのときには、ステップＳ１９で外れ処理を行い、その後、ステップＳ２０でボーナス当選フラグがＯＮか否かを判定し、その判定がＹＥＳのときにはステップＳ２１でフラグ告知を行い、リターンする一方、判定がＮＯのときにはそのままリターンする。ステップＳ２１でのフラグ告知は、例えば図９に示すように、可動部材３１を前方より見てリール表示窓６の左端から右端に向って所定の速度で移動させるとともに、可動部材３１の発光領域３６において中心寄りの発光ダイオード３７から上側及び下側の発光ダイオード３７に、また上側及び下側の発光ダイオード３７から中心寄りの発光ダイオード３７に順番に瞬間的に点灯することにより、リール表示窓６の略全面に広がる大きさの残像的な楕円状の光のラインＫ２を描く。尚、図８及び図９では、リール表示窓６を明確にするためにその周縁の中央パネル４に斜線を付し、また可動部材３１の発光領域３６のうち点灯する発光ダイオード３７にも斜線を付している。
【００４０】
次に、上記第１の実施形態の作用・効果を説明するに、３つの図柄列リール２２ａ〜２２ｃの回転が停止したとき、有効化された入賞ラインＬ１〜Ｌ５上に入賞図柄が揃っていれば可動部材３１の移動とその発光領域３６の発光との組み合わせにより入賞ラインＬ１〜Ｌ５に沿った残像的な直線状の光のラインＫ１を描く入賞ライン表示が行われ、また入賞図柄が揃わない外れでも内部抽選でボーナス当選していれば同じく可動部材３１の移動とその発光領域３６の発光との組み合わせによりリール表示窓６の略全面に広がる大きさの残像的な楕円状の光のラインＫ２を描くフラグ告知が行われる。
【００４１】
このような入賞ライン表示やフラグ告知は、いずれもリール表示窓６を通して見える可動部材３１の移動及びその発光領域３６の発光によって行われるため、遊技者はリール表示窓６を通して図柄列リール２２ａ〜２２ｃの回転状態を見ながら入賞ライン表示やフラグ告知を認識することができるとともに、図柄列リール２２ａ〜２２ｃの目押しなどに集中することができ、遊技情報の報知ないし遊技演出の効果を実施上有効に高めることができる。
【００４２】
しかも、上記可動部材３１の移動と複数の発光ダイオード３７，３７，…からなる発光領域３６の発光との組み合わせは種々の態様があるため、入賞ライン表示やフラグ告知に限らず、数多くの遊技情報を互いに異なった態様でもって報知することができるとともに、報知に際し変化を持たせることで演出効果をより高めることができる。
【００４３】
また、上記可動部材３１は、リール表示窓６の内面に沿って窓高さ全長に亘って上下方向に延びているとともに、その上端部及び下端部がそれぞれ駆動手段３２の上下一対のベルト４３，４３に連結されてリール表示窓６の左端から右端に又は右端から左端に向って移動するようになっているため、その移動領域がリール表示窓６の全面に広がることになる。その結果、遊技情報の報知を確実に行うことができるとともに、演出効果をより一層高めることができる。
【００４４】
尚、上記第１の実施形態では、棒状の可動部材３１をリール表示窓６の上下方向に延ばして配置するとともに、その長手方向と直交するリール表示窓６の左右方向に移動させるように構成したが、本発明は、第１の実施形態の変形として、例えば図１０に示すように、棒状の可動部材７１をリール表示窓６の左右方向に延ばして配置するとともに、その長手方向と直交するリール表示窓６の上下方向に移動させるように構成してもよい。図１０に示すものでは、可動部材７１の表面側に、第１の実施形態の場合と同様に、複数の単色の発光ダイオード７２，７２，…を一列にアレイ状に並べてなる発光領域７３が設けられており、また遊技情報ないし遊技演出として、例えば右下がり斜めの入賞ラインＬ５（図１参照）に入賞図柄が揃った場合、可動部材７１をリール表示窓６の上端から下端に向って所定の速度で移動させるとともに、可動部材７１の発光領域７３において左側の発光ダイオード７２から右側の発光ダイオード７２に１つずつ順番に瞬間的に点灯することにより、入賞ラインＬ５に沿った残像的な直線状の光のラインＫ３を描くようにしている。
【００４５】
また、棒状の可動部材３１，７１の表面側に複数の発光素子からなる発光領域３６，７３を設ける場合、単色の発光ダイオード３７，７２を用いる代わりに、図１１及び図１２に示すような多色に発光可能な発光ダイオード７６を用いてもよい。この発光ダイオード７６は、赤色に発光する素子（赤色ダイオード）７６ａと、緑色に発光する素子（緑色ダイオード）７６ｂと、青色に発光する素子（青色ダイオード）７６ｃとを有し、これら３つの素子７６ａ〜７６ｃへの選択的な通電により発光色が７色に変更可能になっている。この発光ダイオード７６を用いた場合には、発光色などの相違により多種類の遊技情報を報知することができるとともに、報知に際し彩を持たせて演出効果をより一層高めることができる。
【００４６】
（第２の実施形態）
図１３及び図１４は本発明の第２の実施形態に係るスロットマシンの報知装置８０の構成を示す。この報知装置８０は、第１の実施形態における報知装置３０と同じくスロットマシンの中央パネル４とリール装置との間に配置されているが、その構成要素である可動部材８１及び駆動手段８２の構成が異なる。
【００４７】
すなわち、上記可動部材８１は、中央パネル４のリール表示窓６の内側をその内面に沿って延びる棒状のものであって、駆動手段８２との結合側である基端部を除いてその表面側に発光領域８３を有している。この発光領域８３は、複数の発光部として各々多色に発光可能な発光ダイオード８４，８４，…を一列にアレイ状に並べて構成されており、各発光ダイオード８４は、図１１及び図１２に示す発光ダイオード７６と同じ構成になっている。
【００４８】
また、上記駆動手段８２は、中央パネル４のリール表示窓６下縁の中央部に取付金具８５を介して取り付けられた減速機付きサーボモータ８６を備えており、このサーボモータ８６の出力軸８６ａには上記可動部材８１の基端部が連結されていて、サーボモータ８６の正逆回転により可動部材８１がリール表示窓６の内側をその内面に沿って左右に揺動するようになっている。尚、図１３中、８７は中央パネル４のリール表示窓６下縁の内面でサーボモータ８６の左右両方に設けられた左右一対のストッパであり、可動部材８１はこのストッパ８７に当接して傾倒した状態ではリール表示窓６からは見えないようになっている。
【００４９】
そして、上記サーボモータ８６の作動及び各発光ダイオード８４の点灯は、図示していないが、第１の実施形態における報知用サブ制御基板３３及びスロット主制御基板５０に相当する制御手段によって制御され、例えば内部抽選でボーナス当選したときなどにサーボモータ８６が作動して可動部材８１がリール表示窓６を通して見える位置で左右に揺動するとともに、この可動部材８１の発光領域８３を構成する１つ又は複数の発光ダイオード８４が継続的に７色に点灯又は点滅し、あるいは可動部材８１の揺動している位置に対応して点灯して、発光の残像から文字などの所定の画像を描くようになっている。
【００５０】
従って、上記第２の実施形態においても、フラグ告知などの遊技情報は、第１の実施形態の場合と同様に、リール表示窓６を通して見える可動部材８１の移動（詳しくは揺動）とその発光領域８３の発光の両方によって行われるため、遊技者はリール表示窓６を通して図柄列リール２２ａ〜２２ｃの回転状態を見ながらフラグ告知などの遊技情報を認識することができるとともに、図柄列リール２２ａ〜２２ｃの目押しなどに集中することができ、遊技情報の報知ないし遊技演出の効果を実施上有効に高めることができるという効果などを奏する。
【００５１】
その上、上記可動部材８１は、その基端部が駆動手段８２のサーボモータ８６の出力軸８６ａに連結されていて、サーボモータ８６の作動によりリール表示窓６を通して見える位置で左右に揺動するようになっているため、可動部材８１の移動領域をリール表示窓６の略全面に広げて遊技演出の効果を一層高めることができるとともに、駆動手段８２の構成を比較的簡単なものにすることができ、実施化を図る上で非常に有利なものである。
【００５２】
（第３の実施形態）
図１５は本発明の第３の実施形態に係るスロットマシンの報知装置９０の構成を示す。この報知装置９０は、第２の実施形態における報知装置８０とは可動部材９１の構成が異なる。
【００５３】
すなわち、上記報知装置９０の可動部材９１は、中央パネル４のリール表示窓６の内側をその内面に沿って延びる棒状のものであるが、発光領域を有しておらず，その代わりに、先端部に星の図形やキャラクタの絵などを印刷した表示板９２が取り付けられてなる。尚、報知装置９０のその他の構成などは、第２の実施形態のものと同じであり、同一部材には同一符号を付してその説明は省略する。
【００５４】
そして、上記第３の実施形態においても、リール表示窓６を通して見える可動部材９１及び表示板９２の揺動によってフラグ告知などの遊技情報が報知されるため、第２の実施形態の場合と同様の効果を奏することができるのは勿論である。
【００５５】
（第４の実施形態）
図１６は本発明の第４の実施形態に係るスロットマシンの報知装置１００の構成を示す。この報知装置１００は、第２の実施形態における報知装置８０とは装備する可動部材の個数などが異なる。
【００５６】
すなわち、上記報知手段１００は、２個の可動部材１０１，１０１を備えており、この各可動部材１０１は、第１の実施形態における報知装置８０の可動部材８１と同じく、中央パネル４のリール表示窓６の内側をその内面に沿って延びる棒状のものであって、複数の発光ダイオード１０３，１０３,…を一列にアレイ状に配列してなる発光領域１０４を有している。また、報知手段１００は、２個の可動部材１０１，１０１を移動させる手段として、中央パネル４のリール表示窓６下縁の中央部に取り付けられた減速機付きサーボモータ１０５を備えており、このサーボモータ１０５は、動力伝達経路の異なる２つの出力軸１０５ａ（１つの出力軸のみ図示）を同軸上に配置してなり、この２つの出力軸１０５ａに上記２個の可動部材１０１，１０１の基端部がそれぞれ結合されている。そして、２個の可動部材１０１，１０１は、リール表示窓６の内側をその内面に沿って一方が手前側（中央パネル４寄り）を、他方が奥側（リール２２ａ〜２２ｃ寄り）を左右対称に揺動するようになっており、この両可動部材１０１，１０１の移動範囲（揺動範囲）は、リール表示窓６を通して略完全に重なり合って見えるように設けられている。尚、報知装置１００のその他の構成は、第２の実施形態のものと同じであり、同一部材には同一符号を付してその説明は省略する。
【００５７】
そして、上記第４の実施形態においては、報知手段１００の２個の可動部材１０１，１０１がそれぞれリール表示窓６の内側をその内面に沿って左右に揺動するとき、それらの移動範囲がリール表示窓６を通して略完全に重なり合って見えるように設けられている上、各可動部材１０１の発光領域１０４を構成する複数の発光ダイオード１０３，１０３，…の発光状態がそれぞれ可動部材１０１の揺動している位置に対応して制御され、発光の残像から所定の画像がリール表示窓６上に描かれるため、単位時間内にリール表示窓６を通過する発光ダイオード１０３の量を増加して鮮明な画像を表示したり、画像を重ねて遠近感を出す表示をしたりすることができ、演出効果を一層高めることができる。
【００５８】
（第５の実施形態）
図１７は本発明の第５の実施形態に係るスロットマシンの報知装置１１０の構成を示す。この報知装置１１０は、第４の実施形態における報知装置１００と同じく２個の可動部材１１１，１１２を備えているが、この２個の可動部材１１１，１１２を移動させる手段の構成などが異なる。
【００５９】
すなわち、上記各可動部材１１１，１１２は、第４の実施形態における報知装置１００の可動部材１０１と同じく、中央パネル４のリール表示窓６の内側をその内面に沿って延びる棒状のものであって、複数の発光ダイオード１１３，１１３，…を一列にアレイ状に配列してなる発光領域１１４を有している。また、上記報知手段１１０は、２個の可動部材１１１，１１２を移動させる手段として、中央パネル４のリール表示窓６下縁の中央部及びリール表示窓６上縁の中央部にそれぞれ取り付けられた２個の減速機付きサーボモータ１１５，１１６を備えており、リール表示窓６下縁側のサーボモータ１１５の出力軸１１５ａには可動部材１１１の基端部が、リール表示窓６上縁側のサーボモータ１１６の出力軸１１６ａには可動部材１１２の基端部がそれぞれ連結されている。そして、サーボモータ１１５の正逆回転により可動部材１１１がリール表示窓６の下部側の内面に沿って左右に揺動するとともに、サーボモータ１１６の正逆回転により可動部材１１２がリール表示窓６の上部側の内面に沿って左右に揺動し、リール表示窓６を通してはその中央部では両可動部材１１１，１１２の揺動範囲が重なり合って見えるように設けられている。尚、図１７中、１１７は中央パネル４のリール表示窓６下縁の内面でサーボモータ１１５の左右両方に設けられた左右一対のストッパであり、可動部材１１１はこのストッパ１１７に当接して傾倒した状態ではリール表示窓６からは見えないようになっている。また、１１８は中央パネル４のリール表示窓６上縁の内面でサーボモータ１１６の左右両方に設けられた左右一対のストッパであり、可動部材１１２はこのストッパ１１８に当接して傾倒した状態ではリール表示窓６からは見えないようになっている。
【００６０】
そして、上記第５の実施形態においても、第４の実施形態と同様に、報知手段１１０の２個の可動部材１１１，１１２がそれぞれリール表示窓６の内側をその内面に沿って左右に揺動するとき、それらの移動範囲がリール表示窓６を通してその中央部で一部重なり合って見えるように設けられている上、各可動部材１１１，１１２の発光領域１１４を構成する複数の発光ダイオード１１３，１１３，…の発光状態がそれぞれ対応する可動部材１１１，１１２の揺動している位置に対応して制御され、発光の残像から所定の画像がリール表示窓６上に描かれるため、単位時間内にリール表示窓６を通過する発光ダイオード１１３の量を増加して鮮明な画像を表示したり、画像を重ねて遠近感を出す表示をしたりすることができ、演出効果を一層高めることができる。
【００６１】
（第６の実施形態）
図１８は本発明の第６の実施形態に係るスロットマシンの報知装置１２０の構成を示す。この報知装置１２０は、上記第１の実施形態における報知装置３０と同じくスロットマシンの中央パネルとリール装置２０との間に配置されているが、その構成要素である可動部材１２１及び駆動手段１２２の構成が異なる。
【００６２】
すなわち、上記可動部材１２１は、リール装置２０の３つの図柄列リール２２ａ，２２ｂ，２２ｃの外周面に近接してリール装置２０の軸方向に延びる本体部１２１ａと、この本体部１２１ａの一端からリール装置２０の半径方向内側に略直角に折れ曲がって延びるアーム部１２１ｂとを有するＬ字形のものであり、本体部１２１ａには複数の発光ダイオード１２３，１２３，…を一列にアレイ状に配列してなる発光領域１２４が設けられている。また、上記駆動手段１２２は、リール装置２０の略中心線上に配置された減速機付きサーボモータ１２６を備えており、このサーボモータ１２６の出力軸１２６ａには上記可動部材１２１のアーム部１２１ｂの基端部が連結されていて、サーボモータ１２６の正逆回転により可動部材１２１の本体部１２１ａがリール表示窓の内側をリール装置２０の図柄列リール２２ａ〜２２ｃの外周面に沿って上下に揺動するようになっている。
【００６３】
上記サーボモータ１２６の作動及び各発光ダイオード１２３の点灯は、報知用サブ制御基板１２７によって制御され、例えば内部抽選でボーナス当選したときなどにサーボモータ１２６が作動して可動部材１２１の本体部１２１ａがリール表示窓を通して見える位置でリール装置２０の図柄列リール２２ａ〜２２ｃの外周面に沿って上下に揺動するとともに、この可動部材１２１の本体部１２１ａの揺動している位置に対応して各発光ダイオード１２３の発光状態が制御され、発光の残像から例えば図１９に示すようにリール表示窓６上にその略全面に亘る大きな「７」の文字１２８を描いたり、図２０に示すようにリール表示窓６上に各図柄列リール２２ａ〜２２ｃに対応して３つの「７」の文字１２９，１２９，１２９を並べて描いたりするようになっている。尚、図１９及び図２０では、中央パネル４のリール表示窓６以外の箇所に斜線を付している。
【００６４】
従って、上記第６の実施形態においては、フラグ告知などの遊技情報を報知するときには、リール表示窓６を通して見える可動部材１２１の本体部１２１ａの揺動とこの本体部１２１ａの発光領域１２４（詳しくは各発光ダイオード１２３）の発光状態の制御とを同時に行い、発光の残像からリール表示窓６上に文字１２８，１２９などの画像を描いて報知が行われるため、遊技者への報知効果を高めることができる。
【００６５】
（第７の実施形態）
図２１は本発明の第７の実施形態に係るスロットマシンの報知装置１３０の構成を示す。この報知装置１３０は、第６の実施形態における報知装置１２０とは装備する可動部材の個数などが異なる。
【００６６】
すなわち、上記報知手段１３０は、２個の可動部材１３１，１３２を備えており、この各可動部材１３１，１３２は、それぞれ第６の実施形態における報知装置１２０の可動部材１２１と同じく、リール装置２０の３つの図柄列リール２２ａ，２２ｂ，２２ｃの外周面に近接してリール装置２０の軸方向に延びる本体部１３１ａ，１３２ａと、この本体部１３１ａ，１３２ａの一端からリール装置２０の半径方向内側に略直角に折れ曲がって延びるアーム部１３１ｂ，１３２ｂとを有するＬ字形のものであり、本体部１３１ａ，１３２ａにはそれぞれ複数の発光ダイオード１３３，１３３，…を一列にアレイ状に配列してなる発光領域１３４が設けられている。また、報知手段１３０は、２個の可動部材１３１，１３２を移動させる駆動手段１３５として、リール装置２０の略中心線上に配置された減速機付きサーボモータ１３６を備えており、このサーボモータ１３６は、動力伝達経路の異なる２つの出力軸１３６ａ，１３６ｂを同軸上に配置してなり、この２つの出力軸１３６ａ，１３６ｂに上記２個の可動部材１３１，１３２のアーム部１３１ｂ、１３２ｂの基端部がそれぞれ結合されている。そして、２個の可動部材１３１，１３２は、サーボモータ１３６の正逆回転によりそれぞれ本体部１３１ａ，１３２ａがリール表示窓の内側をリール装置２０の図柄列リール２２ａ〜２２ｃの外周面に沿って手前側（中央パネル４寄り）と奥側（リール２２ａ〜２２ｃ寄り）とを上下に正反対に揺動するようになっており、この両可動部材１３１，１３２の本体部１３１ａ，１３２ａの移動範囲（揺動範囲）は、リール表示窓６を通して略完全に重なり合って見えるように設けられている。
【００６７】
上記サーボモータ１３６の作動及び各発光ダイオード１３３の点灯は、第６の実施形態の場合と同様に、報知用サブ制御基板１３７によって制御され、例えば内部抽選でボーナス当選したときなどにサーボモータ１３６が作動して２個の可動部材１３１，１３２の本体部１３１ａ，１３２ａがそれぞれリール表示窓を通して見える位置でリール装置２０の図柄列リール２２ａ〜２２ｃの外周面に沿って上下に正反対に揺動するとともに、この各可動部材１３１，１３２の本体部１３１ａ，１３２ａの揺動している位置に対応してそれぞれこの本体部１３１ａ，１３２ａの発光領域１３４を構成する各発光ダイオード１３３の発光状態が制御され、発光の残像からリール表示窓上に所定の画像を描くようになっている。
【００６８】
従って、上記第７の実施形態においては、報知手段１３０の２個の可動部材１３１，１３２の本体部１３１ａ，１３２ａがそれぞれリール表示窓を通して見える位置でリール装置２０の図柄列リール２２ａ〜２２ｃの外周面に沿って上下に正反対に揺動するとき、それらの移動範囲がリール表示窓を通して略完全に重なり合って見えるように設けられている上、各可動部材１３１，１３２の本体部１３１ａ，１３２ａの発光領域１３４を構成する複数の発光ダイオード１３３，１３３，…の発光状態がそれぞれ可動部材１３１，１３２の本体部１３１ａ，１３２ａの揺動している位置に対応して制御され、発光の残像から所定の画像がリール表示窓上に描かれるため、単位時間内にリール表示窓を通過する発光ダイオード１３３の量を増加して鮮明な画像を表示したり、画像を重ねて遠近感を出す表示をしたりすることができ、演出効果を一層高めることができる。
【００６９】
（第８の実施形態）
図２２及び図２３は本発明の第８の実施形態に係る遊技機としてのパチンコ機Ｂを示し、２０１はパチンコ機Ｂの前枠であって、この前枠２０１の上部にはガラス扉２０２が開閉可能に取り付けられているとともに、前枠２０１の下部には上皿２０３、下皿２０４及び打球発射操作用ハンドル２０５などが設けられている。
【００７０】
上記ガラス扉２０２は、枠材２０２ａに前面ガラス２０２ｂと裏面ガラス２０２ｃとが保持されてなる２重のガラス構造のものであり、このガラス扉２０２のガラス面（つまり前面ガラス２０２ｂと裏面ガラス２０２ｃ）を通して遊技盤２０６が前方に見えるようになっている。遊技盤２０６には打球ガイドレール２０７及び中央液晶表示ユニット２０８が設けられているだけでなく、図示していない障害釘や入賞口なども設けられている。
【００７１】
上記前枠２０１のガラス扉２０２側には遊技情報を報知するための報知装置２１０が設けられている。この報知装置２１０は、ガラス扉２０２の前面ガラス２０２ｂと裏面ガラス２０２ｃの隙間で上下方向に延びる棒状の可動部材２１１と、この可動部材２１１を前面ガラス２０２ｂと裏面ガラス２０２ｃの隙間に沿って左右方向（つまり可動部材２１１の長手方向と直交する方向）に移動させる駆動手段２１２と、この駆動手段２１２を制御する報知用サブ制御基板２１３とからなる。
【００７２】
上記可動部材２１１は、図２４に拡大詳示するように、アクリルチューブのような透明な合成樹脂製又はガラス製のチューブからなり、その外径は５〜１０ｍｍ程度であり、肉厚は１〜２ｍｍ程度である。この可動部材２１１の上下両端部にはそれぞれ多色に発光可能な発光素子としての発光ダイオード２１４，２１４が挿入されており、各発光ダイオード２１４は、図１１及び図１２に示す発光ダイオード７６と同じ構成のもので、３つの素子への選択的な通電により発光色が７色に変更可能になっている。この上下２つの発光ダイオード２１４，２１４が発光すると遊技者からは可動部材２１１自体が発光したように見える。よって本実施形態では、可動部材２１１自体が発光ダイオード２１４と共に発光部を構成しかつ可動部材２１１の全面に発光領域２１５を有することになる。また、発光ダイオード２１４の点灯は上記報知用サブ制御基板２１３により制御される。
【００７３】
上記駆動手段２１２は、ガラス扉２０２の枠材２０２ａの左右両辺部にそれぞれ上下方向に延びて配置されかつ回転自在に支持された左右２つのシャフト２２１ａ，２２１ｂと、ガラス扉２０２の枠材２０２ａの上下両辺部でこの両シャフト２２１ａ，２２１ｂ間にそれぞれスプロケット（図示せず）を介して巻き掛けられた上下一対のベルト２２２，２２２と、上記一方のシャフト２２１ｂをベルト２２３などを介して回転駆動する減速機付きサーボモータ２２４とを備えている。上下一対のベルト２２２，２２２には、図２４に拡大詳示するようにそれぞれ上記可動部材２１１の上端部又は下端部が固定部材２２５を介して固定されており、サーボモータ２２４の正逆回転により可動部材２１１がガラス扉２０２の左端から右端に、又は右端から左端に向って移動するようになっている。サーボモータ２２４の作動は上記報知用サブ制御基板２１３により制御される。
【００７４】
また、上記報知用サブ制御基板２１３は、パチンコ機の主制御基板（図示せず）からの制御信号に基づいて、サーボモータ２２４の作動及び発光ダイオード２１４の点灯を制御するようになっており、例えば大当たり時などにサーボモータ２２４が作動して可動部材２１１がガラス扉２０２の左端から右端に、又は右端から左端に向って移動するとともに、発光ダイオード２１４の点灯により可動部材２１１自体が発光することにより、大当たり時などを報知する。
【００７５】
従って、上記第８の実施形態においては、大当たりなどの遊技情報は、ガラス扉２０２を通して見える可動部材２１１の移動及びその発光によって行われるため、遊技者はガラス扉２０２を通して遊技盤２０６を見ながら大当たりなどの遊技情報を認識することができるとともに、遊技盤２０６上で展開される遊技に集中することができ、遊技情報の報知ないし遊技演出の効果を実施上有効に高めることができる。また、第１の実施形態で述べたその他の効果をも奏することができるのは勿論である。
【００７６】
（他の実施形態）
本発明は上記第１ないし第８の実施形態に限定されるものではなく、その他種々の実施形態を包含するものである。例えば第１及び第２の実施形態などでは、棒状の可動部材３１，７１，８１に複数の単色又は多色に発光可能な発光ダイオード３７，７２，８４を一列にアレイ状に並べてなる発光領域３６，７３，８３を設けたが、本発明は、可動部材としては、棒状のものに限らないのは勿論のこと、この可動部材に複数の発光素子を２次元的にアレイ状に並べて発光領域を構成したり、１個の発光素子のみで発光領域を構成したりしてもよい。また、発光領域を構成する発光部としては、発光ダイオードなどの発光素子、蛍光管、液晶ディスプレイ、エレクトロルミネセント（ＥＬ）ディスプレイなどを用いてもよい。
【００７７】
さらに、上記第１及び第８の実施形態では、可動部材３１，２１１をリール表示窓６又はガラス扉２０２の左端から右端に、又は右端から左端に向って移動させることにより所定の遊技情報を報知するようにしたが、本発明は、この可動部材３１，２１１の移動方法として、数回往復させたり、途中で停止させたりしてもよい。また、第１ないし第８の実施形態では、可動部材３１，７１，８１，９１，１０１，１１１，１１２，１２１，１３１，１３２，２１１を移動させる駆動手段３２，８２，１２２，１３５，２１２として、いずれもサーボモータ４５，８６，１０５，１１５，１１６，１２６，１３６，２２４を用いて構成したが、ソレノイドなどその他のアクチュエータを用いてもよい。サーボモータの回転力を可動部材に伝達する伝達手段として、第１及び第８の実施形態の如きベルト４３，４４，２２２，２２３の代わりに、チェーンや歯車などを用いてもよいのは勿論である。
【００７８】
加えて、上記第１ないし第７の実施形態では、１つのリール表示窓６を通して３つの図柄列リール２２ａ〜２２ｃが前方に見えるタイプのスロットマシンＡについて述べたが、本発明は、その他の種々のタイプのスロットマシン、例えば複数のリール表示窓から各々対応する図柄列リールが前方に見えるもの、図柄列リールの代わりに、外周面に複数の図柄を描いてなるベルト又は液晶ディスプレイなどを用いたものにも同様に適用することができる。
【００７９】
上記第６の実施形態では、可動部材１２１の本体部１２１ａを、リール表示窓を通して見える位置でリール装置２０の図柄列リール２２ａ〜２２ｃの外周面に沿って上下に揺動させるようにしたが、本発明は、この可動部材１２１の本体部１２１ａを、リール装置２０の図柄列リール２２ａ〜２２ｃの外周面に沿って回転させるようにしてもよい。また、可動部材１２１の本体部１２１ａの移動している位置に対応してその本体部１２１ａの各発光ダイオード１２３の発光状態を制御するに当たり、第６の実施形態の如く発光の残像から静止画像を描くだけでなく、時間と共に画像が変化する動画を描くようにしてもよい。
【００８０】
さらにまた、上記第８の実施形態では、パチンコ機Ｂのガラス扉２０２の全面に亘って可動部材２１１が移動するように構成したが、本発明は、このガラス扉２０２を通して見える遊技盤２０６のうち、例えば中央液晶表示ユニット２０８の部分のみを可動部材が移動するように構成してもよい。この場合、可動部材及びその駆動手段を、中央液晶表示ユニット２０８側に設ければよい。
【００８１】
【発明の効果】
以上のように、本発明のスロットマシンによれば、所定の遊技状況のとき、前扉のリール表示窓の内側を、報知装置の可動部材がリール表示窓の一方の端から反対側の端に向かって移動するとともに、この可動部材の移動している位置に対応して可動部材上の所定の発光素子が発光し、この発光の残像から所定の画像をリール表示窓に描いて所定の遊技情報が報知されるため、遊技者はリール表示窓を通して遊技をしながらその目線を逸らすことなく所定の遊技情報を認識することができ、遊技情報の報知ないし遊技演出の効果を有効に高めることができる。しかも、可動部材は、リール表示窓の一方向に延びて配置された状態のままこれと直交する方向に移動するものであり、また、この可動部材上に複数の発光素子がアレイ状に配列されているため、リール表示窓全体に広がった画像でもって遊技情報の報知を確実に行うことができるとともに、演出効果を一層高めることができる。
【００８２】
特に、請求項３に係る発明では、可動部材上の各発光素子が多色に発光するものであるため、多種類の遊技情報を報知することができるとともに、報知に際し彩を持たせて演出効果をより一層高めることができる。
【００８３】
【００８４】
【００８５】
【００８６】
【００８７】
【００８８】
【００８９】
【図面の簡単な説明】
【図１】  本発明の第１の実施形態に係るスロットマシンの外観を示す正面図である。
【図２】  上記スロットマシンのリール装置及び報知装置の構成を示す概略構成図である。
【図３】  図２のＸ−Ｘ線に沿って見た矢視図である。
【図４】  可動部材の発光領域の構成を示す回路図である。
【図５】  スロットマシンの制御系の構成を示すブロック構成図である。
【図６】  スロットマシンの制御内容を示すフローチャートの前半部分の図である。
【図７】  同フローチャートの後半部分の図である。
【図８】  報知装置による入賞ライン表示を説明するための図である。
【図９】  同じく報知装置によるフラグ告知を説明するための図である。
【図１０】  第１の実施形態の変形を示す図８相当図である。
【図１１】  多色に発光可能な発光ダイオードの側面図である。
【図１２】  上記発光ダイオードの回路図である。
【図１３】  第２の実施形態に係るスロットマシンの報知装置の構成を示すリール表示窓付近の正面図である。
【図１４】  図１３のＹ−Ｙ線に沿って見た矢視図である。
【図１５】  第３の実施形態を示す図１３相当図である。
【図１６】  第４の実施形態を示す図１３相当図である。
【図１７】  第５の実施形態を示す図１３相当図である。
【図１８】  第６の実施形態に係るスロットマシンの報知装置の構成を示す概略構成図である。
【図１９】  上記報知装置による画像表示の一例を示す図である。
【図２０】  同じく画像表示の別の例を示す図である。
【図２１】  第７の実施形態を示す図１８相当図である。
【図２２】  第８の実施形態に係るパチンコ機の概略正面図である。
【図２３】  図２２のＱ−Ｑ線における断面図である。
【図２４】  図２３のＲ−Ｒ線に沿って見た拡大矢視図である。
【符号の説明】
Ａ    スロットマシン（遊技機）
Ｂ    パチンコ機（遊技機）
Ｌ１，Ｌ２，Ｌ３，Ｌ４，Ｌ５    入賞ライン
Ｋ１，Ｋ２，Ｋ３    光のライン
１    前扉
４    中央パネル（前面パネル）
６    リール表示窓（透明な窓）
２０    リール装置
２２ａ，２２ｂ，２２ｃ    図柄列リール
３０，８０，９０，１００，１１０，１２０，１３０，２１０    報知装置
３１，７１，８１，９１，１０１，１１１，１１２，１２１，１３１，１３２，２１１    可動部材
３２，８２，１２２，１３５，２１２    駆動手段
３３，１２７，１３７，２１３    報知用サブ制御基板
３６，７３，８３，１０４，１１４，１２４，１３４，２１５    発光領域
３７，７２，７６，８４，１０３，１１３、１２３，１３３，２１４    発光ダイオード（発光部、発光素子）
４１    軸受
４２ａ，４２ｂ    シャフト
４３，４４，２２２，２２３    ベルト
４５，８６，１０５，１１５，１１６，１２６，１３６，２２４    サーボモータ
５０    スロット主制御基板
２０２    ガラス扉（透明な窓）
２０２ｂ  前面ガラス（ガラス面）
【図１】
0003923393.tif 000002
【図２】
0003923393.tif 000003
【図３】
0003923393.tif 000004
【図４】
0003923393.tif 000005
【図５】
0003923393.tif 000006
【図６】
0003923393.tif 000007
【図７】
0003923393.tif 000008
【図８】
0003923393.tif 000009
【図９】
0003923393.tif 000010
【図１０】
0003923393.tif 000011
【図１１】
0003923393.tif 000012
【図１２】
0003923393.tif 000013
【図１３】
0003923393.tif 000014
【図１４】
0003923393.tif 000015
【図１５】
0003923393.tif 000016
【図１６】
0003923393.tif 000017
【図１７】
0003923393.tif 000018
【図１８】
0003923393.tif 000019
【図１９】
0003923393.tif 000020
【図２０】
0003923393.tif 000021
【図２１】
0003923393.tif 000022
【図２２】
0003923393.tif 000023
【図２３】
0003923393.tif 000024
【図２４】
0003923393.tif 000025